(57)【要約】【課題】燃料噴射量の増量補正をより精度よく行って、燃焼室への燃料の減少分を確実に補償することのできる内燃機関の燃料噴射制御装置を提供する。【解決手段】電子制御装置は、エンジンの運転状態に応じた燃料噴射量を設定し、吸気ポートに配置された燃料噴射弁を開弁させて、前記燃料噴射量の燃料を噴射させて燃焼室内に供給する。また、電子制御装置は、燃料噴射弁から噴射された燃料が吸気ポート内を浮遊する浮遊期間Ｔ２と、吸気バルブの開弁に伴い燃焼室内の既燃ガスが吸気ポートへ逆流する逆流期間Ｔ１とが重なる期間（重なり期間ＴOL）に基づいて、前記燃料噴射量を増量補正する。【選択図】図６
2010025083.tif 000002
【特許請求の範囲】
【請求項１】
内燃機関の運転状態に応じた燃料噴射量を設定し、吸気ポートに配置された燃料噴射弁から前記燃料噴射量の燃料を噴射して燃焼室に供給する燃料噴射手段を備える内燃機関の燃料噴射制御装置において、
前記燃料噴射弁から噴射された燃料が前記吸気ポート内を浮遊する浮遊期間と、吸気バルブの開弁に伴い前記燃焼室内の既燃ガスが前記吸気ポートへ逆流する逆流期間とが重なる期間に基づいて、前記燃料噴射手段により設定される前記燃料噴射量を増量補正する補正手段をさらに備えることを特徴とする内燃機関の燃料噴射制御装置。
【請求項２】
前記補正手段は、前記浮遊期間と前記逆流期間との重なり期間が長いときには短いときよりも前記燃料噴射量を多く増量補正する請求項１に記載の内燃機関の燃料噴射制御装置。
【請求項３】
前記補正手段は、排気行程の途中で前記吸気バルブが開弁を開始する場合において、前記吸気バルブの開弁開始から排気行程終了までの期間を前記逆流期間として前記燃料噴射量の増量補正を行う請求項１又は２に記載の内燃機関の燃料噴射制御装置。
【請求項４】
前記補正手段は、前記燃料噴射弁による燃料の噴射開始から、噴射終了直前に噴射された燃料が前記吸気ポートの下流端に到達するまでの期間を前記浮遊期間として前記燃料噴射量の増量補正を行う請求項１〜３のいずれか１つに記載の内燃機関の燃料噴射制御装置。
【請求項５】
前記補正手段は、前記吸気ポートでの前記既燃ガスの逆流強さを前記内燃機関の運転状態に基づいて推定し、その推定した逆流強さに応じて前記燃料噴射量の補正量を変更する請求項１〜４のいずれか１つに記載の内燃機関の燃料噴射制御装置。
【発明の詳細な説明】
【技術分野】
【０００１】
本発明は、各気筒の吸気ポートに配置された燃料噴射弁から燃料を噴射して燃焼室に供給するポート噴射式の内燃機関に適用され、その燃料噴射弁からの燃料噴射を制御する燃料噴射制御装置に関するものである。
【背景技術】
【０００２】
各気筒の吸気ポートに配置された燃料噴射弁から燃料を噴射して燃焼室に供給する、いわゆるポート噴射式の内燃機関の中には、排気行程で吸気バルブが開弁されるとともに燃料を噴射されるものがある。
【０００３】
このタイプの内燃機関では、吸気バルブの開き始めに、筒内圧の高い気筒から既燃ガスが吸気ポート側へ逆流し、燃料噴射弁から噴射された燃料が吸気上流側へ吹き戻される。この吹き戻しにより、吸気ポートに付着する燃料の面積及び量が、既燃ガスの逆流のない場合よりも多くなる。これに伴い、燃焼室内に供給される燃料の量が、既燃ガスの逆流のない場合よりも一時的に少なくなる。その結果、空燃比が一時的にリーンとなり、加速時に機関出力が一瞬遅れる現象（ヘジテーション）を引き起こしたり、過渡運転時に空燃比が荒れてエミッションの悪化を引き起こしたりするおそれがある。
【０００４】
これに対しては、逆流による付着燃料量の増加に起因して燃焼室に供給される燃料量が減少するのを補償するための補正項を算出し、この補正項によって燃料噴射量を増量補正することが考えられている。そして、この補正項の算出に関する技術が、例えば特許文献１に記載されている。特許文献１では、吸気バルブ及び排気バルブの両方が同時に開弁している期間（バルブオーバラップ量）をバルブタイミング可変装置により設定変更可変とした内燃機関において、バルブオーバラップ量に基づき上記補正項を算出している。さらに、特許文献１には、燃料噴射時期に基づいて上記補正項を算出する旨の記載もされている。
【特許文献１】特開２００３−２０９６５号公報
【発明の開示】
【発明が解決しようとする課題】
【０００５】
ところが、上記特許文献１では、単にバルブオーバラップ量や燃料噴射時期に基づいて補正項を算出しているにすぎず、吹き戻された燃料が吸気ポートに付着する期間を正確に把握したうえで補正項を算出しているわけではない。そのため、例えば、燃料が逆流の影響を受けない期間を含んだ形で補正項が算出されたり、燃料が逆流の影響を受けている期間を漏らした形で補正項が算出されたりするおそれがある。その結果、こうした補正項を用いた燃料噴射量の増量補正の精度が充分高くなく、燃焼室への燃料供給量の減少を確実に補償することができない場合がある。
【０００６】
本発明はこのような実情に鑑みてなされたものであって、その目的は、燃料噴射量の増量補正をより精度よく行って、燃焼室への燃料供給量の減少分を確実に補償することのできる内燃機関の燃料噴射制御装置を提供することにある。
【課題を解決するための手段】
【０００７】
以下、上記目的を達成するための手段及びその作用効果について記載する。
請求項１に記載の発明は、内燃機関の運転状態に応じた燃料噴射量を設定し、吸気ポートに配置された燃料噴射弁から前記燃料噴射量の燃料を噴射して燃焼室に供給する燃料噴射手段を備える内燃機関の燃料噴射制御装置において、前記燃料噴射弁から噴射された燃料が前記吸気ポート内を浮遊する浮遊期間と、吸気バルブの開弁に伴い前記燃焼室内の既燃ガスが前記吸気ポートへ逆流する逆流期間とが重なる期間に基づいて、前記燃料噴射手段により設定される前記燃料噴射量を増量補正する補正手段をさらに備えることを要旨とする。
【０００８】
上記の構成によれば、燃料噴射弁から噴射された燃料が、逆流する既燃ガスによって吹き戻されて吸気ポートに付着した場合、その分、燃焼室に供給される燃料の量が少なくなる。
【０００９】
ここで、既燃ガスの逆流によって燃料が吹き戻されて吸気ポートに付着する上記現象は、燃料噴射弁から噴射された燃料が吸気ポート内で浮遊しているときに、吸気バルブが開弁されて燃焼室内の既燃ガスが吸気ポートへ逆流する場合に起り得る。表現を変えると、上記現象は、燃料噴射弁から噴射された燃料が吸気ポート内を浮遊する浮遊期間と、吸気バルブの開弁に伴い燃焼室内の既燃ガスが吸気ポートへ逆流する逆流期間とが重なるときに起り得る。この点に着目し、請求項１に記載の発明では、上記浮遊期間と逆流期間とが重なる期間（重なり期間）に基づき、燃料噴射手段によって設定される燃料噴射量が増量補正される。
【００１０】
従って、請求項１に記載の発明では、単にバルブオーバラップ量や燃料噴射時期に基づいて燃料噴射量を増量補正する場合とは異なり、逆流の影響を受けない期間を含んだ形で増量補正が行われたり、逆流の影響を受けている期間を漏らした形で増量補正が行われたりすることが少なくなる。実際に燃料付着現象が起こる期間が過不足なく増量補正の対象期間とされ、この期間に基づいて燃料噴射量が増量補正される。そのため、燃料噴射量の増量補正の精度が向上し、燃焼室への燃料供給量の減少分を確実に補償することが可能となる。
【００１１】
請求項２に記載の発明は、請求項１に記載の発明において、前記補正手段は、前記浮遊期間と前記逆流期間との重なり期間が長いときには短いときよりも前記燃料噴射量を多く増量補正することを要旨とする。
【００１２】
ここで、浮遊期間と逆流期間との重なり期間が長くなるに従い、燃料噴射弁から噴射されて吸気ポートを浮遊する燃料のうち逆流の影響を受けて吸気ポートに付着するものが多くなる。従って、請求項２に記載の発明によるように、浮遊期間と逆流期間との重なり期間が長いときには短いときよりも燃料噴射量を多く増量補正することで、上記請求項１に記載の発明による増量補正の精度向上が実現される。
【００１３】
請求項３に記載の発明は、請求項１又は２に記載の発明において、前記補正手段は、排気行程の途中で前記吸気バルブが開弁を開始する場合において、前記吸気バルブの開弁開始から排気行程終了までの期間を前記逆流期間として前記燃料噴射量の増量補正を行うことを要旨とする。
【００１４】
ここで、燃焼室内の既燃ガスが吸気ポートへ逆流する現象は、排気行程において筒内圧が高くなっていることと、吸気バルブが開弁することの両方の条件が満たされた期間に起ると考えられる。従って、請求項３に記載の発明によるように、吸気バルブの開弁開始から排気行程終了までの期間を逆流期間とすることにより、燃料を吹き戻して吸気ポートに付着させる対象となる既燃ガスの逆流期間を正確に把握することが可能となる。
【００１５】
請求項４に記載の発明は、請求項１〜３のいずれか１つに記載の発明において、前記補正手段は、前記燃料噴射弁による燃料の噴射開始から、噴射終了直前に噴射された燃料が前記吸気ポートの下流端に到達するまでの期間を前記浮遊期間として前記燃料噴射量の増量補正を行うことを要旨とする。
【００１６】
ここで、燃料噴射弁から噴射された燃料が吸気ポートを浮遊する現象は、同燃料噴射弁から最初の燃料が噴射され始めてから、最後に噴射された燃料が吸気ポートの下流端に到達するまでの期間に起こると考えられる。従って、請求項４に記載の発明によるように、燃料噴射弁による燃料の噴射開始から、噴射終了直前に噴射された燃料が吸気ポートの下流端に到達するまでの期間を浮遊期間とすることにより、吸気ポートへの付着対象となる燃料が同吸気ポート内を浮遊する期間を正確に把握することが可能となる。
【００１７】
請求項５に記載の発明は、請求項１〜４のいずれか１つに記載の発明において、前記補正手段は、前記吸気ポートでの前記既燃ガスの逆流強さを前記内燃機関の運転状態に基づいて推定し、その推定した逆流強さに応じて前記燃料噴射量の補正量を変更することを要旨とする。
【００１８】
ここで、既燃ガスの逆流によって吹き戻されて吸気ポートに付着する燃料の量は、逆流が強いときには多く、弱いときには少ないと考えられる。従って、請求項５に記載の発明によるように、吸気ポートでの既燃ガスの逆流強さを内燃機関の運転状態に基づいて推定し、その推定した逆流強さに応じて燃料噴射量の補正量を変更することで、こうした変更を行わない場合に比べて燃料噴射量の増量補正の精度がさらに高くなる。
【発明を実施するための最良の形態】
【００１９】
以下、本発明を具体化した一実施形態について、図面を参照して説明する。
車両には、内燃機関が搭載されている。本実施形態では、この内燃機関として、ポート噴射式のガソリンエンジン（以下、単にエンジンという）１１が用いられている。エンジン１１は、複数の気筒（シリンダ）１２を有するシリンダブロック１０Ａと、その上に取付けられたシリンダヘッド１０Ｂ（二点鎖線参照）とを備えている。なお、図１では、シリンダヘッド１０Ｂの一部のみが示されている。各気筒１２にはピストン１３が往復動可能に収容されている。
【００２０】
気筒１２毎の燃焼室１４には吸気通路１８が接続されている。吸気通路１８の最下流部分は、シリンダヘッド１０Ｂに形成された吸気ポート２０によって構成されている。エンジン１１の外部の空気は、吸気通路１８の各部を順に通過して燃焼室１４に吸入される。吸気通路１８の途中には、電動モータ等からなるアクチュエータ１９によって駆動されるスロットルバルブ１５が設けられている。アクチュエータ１９は、運転者によるアクセルペダル２１の踏込み操作等に応じて作動し、スロットルバルブ１５を回動させる。吸気通路１８を流れる空気の量（吸入空気量）は、スロットルバルブ１５の回動角度（スロットル開度）に応じて変化する。
【００２１】
また、燃焼室１４には排気通路２４が接続されており、燃焼室１４で生じた燃焼ガスは排気として、排気通路２４を通ってエンジン１１の外部へ排出される。排気通路２４には、排気を浄化するための触媒コンバータ２３が設けられている。
【００２２】
エンジン１１には、吸気通路１８（吸気ポート２０）の各気筒１２における開口部（吸気ポート２０の下流端２０Ａ）を開閉する吸気バルブ２５と、排気通路２４の各気筒１２における開口部を開閉する排気バルブ２６とが設けられている。これらの吸・排気バルブ２５，２６はいずれもバルブスプリング２７によって、上記開口部を閉じる方向（閉弁方向）である上方へ常に付勢されている。
【００２３】
吸気バルブ２５の略上方には吸気カムシャフト２８が設けられ、また排気バルブ２６の略上方には排気カムシャフト２９が設けられている。これらの吸・排気カムシャフト２８，２９には、エンジン１１の出力軸（機関出力軸）であるクランクシャフト３１の回転が伝達される。この伝達により吸・排気カムシャフト２８，２９が回転し、各バルブスプリング２７に抗して吸・排気バルブ２５，２６を押下げる。これらの押下げにより、吸・排気通路１８，２４の気筒１２における各開口部が開放される。
【００２４】
シリンダヘッド１０Ｂの吸気ポート２０には、電磁式の燃料噴射弁３２が各気筒１２に対応して取付けられている。各燃料噴射弁３２には所定圧の燃料が供給されている。そして、各燃料噴射弁３２は通電により開弁されると、吸気下流側（吸気バルブ２５側）へ燃料を噴射する。各燃料噴射弁３２から噴射された燃料は、吸気ポート２０を飛行（浮遊）し、吸入空気とともに燃焼室１４に供給される。
【００２５】
エンジン１１には、点火プラグ３３が気筒１２毎に取付けられている。各点火プラグ３３は、イグナイタ３４からの点火信号に基づいて作動する。点火プラグ３３には、点火コイル３５から出力される高電圧が印加される。そして、上記燃料と吸入空気との混合気は点火プラグ３３の火花放電によって着火され、燃焼する。このときに生じた高温高圧の燃焼ガスによりピストン１３が往復動される。ピストン１３の往復運動は、コネクティングロッド３６によって回転運動に変換された後、クランクシャフト３１に伝達される。この伝達によりクランクシャフト３１が回転されて、エンジン１１の駆動力（出力トルク）が得られる。
【００２６】
上記エンジン１１では、空気が燃焼室１４内に吸入されて燃焼ガスが排出されるまでの期間、すなわち１サイクルの間に、ピストン１３が２往復してクランクシャフト３１が２回転する。このサイクルは、周知のように、吸気行程、圧縮行程、膨張行程及び排気行程の４つの行程からなる。各行程では、基本的には次のような動作が行われる。
【００２７】
吸気行程では、排気バルブ２６が閉弁されるとともに吸気バルブ２５が開弁される。ピストン１３の下降に伴う燃焼室１４内の圧力（筒内圧）の低下によって、吸気通路１８内の空気と燃料噴射弁３２から噴射された燃料とが混ざり合った状態で燃焼室１４内に吸入される。圧縮行程では、排気バルブ２６に加えて吸気バルブ２５が閉弁される。このため、ピストン１３の上昇に伴って筒内圧が上昇し、混合気が昇圧、昇温される。
【００２８】
膨張行程では、点火プラグ３３により点火が行われ、上記混合気が着火、燃焼される。この燃焼によってピストン１３には下向きの力が付与され、同ピストン１３が下降運動する。排気行程では排気バルブ２６が開弁される。このため、燃焼室１４内で発生した排気がピストン１３の上昇に伴い排気通路２４へ排出される。
【００２９】
エンジン１１には、吸気側及び排気側の各バルブタイミング可変装置（ＶＶＴ）３７，３８が設けられている。吸気側のバルブタイミング可変装置３７は、クランクシャフト３１に対する吸気カムシャフト２８の相対回転位相を変化させることにより、吸気バルブ２５のバルブタイミング（開閉タイミング）を、所定の範囲内でクランク角に対して連続的に調整するための機構である。また、排気側のバルブタイミング可変装置３８は、クランクシャフト３１に対する排気カムシャフト２９の相対回転位相を変化させることにより、排気バルブ２６のバルブタイミングを、所定の範囲内でクランク角に対して連続的に調整するための機構である。なお、クランク角はクランクシャフト３１の回転角であり、°ＣＡ（ＣＡはcrank angle の略称）にて表記される。
【００３０】
吸気バルブ２５のバルブタイミングは、例えば、図２に示すように吸気バルブ２５の開弁時期ＩＶＯ及び閉弁時期ＩＶＣで表すことができる。吸気バルブ２５のバルブタイミングは、吸気バルブ２５の開弁期間（開弁時期ＩＶＯから閉弁時期ＩＶＣまでの期間）が一定に保持された状態で進角又は遅角させられる。また、排気バルブ２６のバルブタイミングは、例えば、図２に示すように排気バルブ２６の開弁時期ＥＶＯ及び閉弁時期ＥＶＣで表すことができる。排気バルブ２６のバルブタイミングは、排気バルブ２６の開弁期間（開弁時期ＥＶＯから閉弁時期ＥＶＣまでの期間）が一定に保持された状態で進角又は遅角させられる。
【００３１】
そして、吸・排気バルブ２５，２６の少なくとも一方のバルブタイミングが変更（進角又は遅角）されると、吸・排気バルブ２５，２６がともに開弁している期間（開弁時期ＩＶＯから閉弁時期ＥＶＣまでの期間）、すなわち両バルブ２５，２６の開弁期間についてのオーバラップ（バルブオーバラップ）が変化する。
【００３２】
さらに、図１に示すように、車両には、エンジン１１の運転状態や運転環境を検出するセンサが種々取付けられている。これらのセンサには、クランク角センサ４１、吸気側カム角センサ４２、排気側カム角センサ４３、水温センサ４４、エアフロメータ４５、スロットルセンサ４６及びアクセルセンサ４７が含まれている。
【００３３】
クランク角センサ４１は、クランクシャフト３１が一定角度回転する毎にパルス状の信号を発生する。この信号は、クランクシャフト３１の回転角度であるクランク角や、単位時間当りのクランクシャフト３１の回転数であるエンジン回転速度（機関回転速度）ＮＥの算出等に用いられる。吸気側カム角センサ４２は、吸気カムシャフト２８の回転角度（カム角）を検出し、排気側カム角センサ４３は、排気カムシャフト２９の回転角度（カム角）を検出する。水温センサ４４は、エンジン１１の内部を流れるエンジン冷却水の温度（エンジン水温）を、エンジン１１の温度（機関温度）の相当値として検出する。エアフロメータ４５は、吸気通路１８を流れる空気の量（吸入空気量）を検出し、スロットルセンサ４６はスロットル開度を検出し、アクセルセンサ４７は運転者によるアクセルペダル２１の踏込み量を検出する。
【００３４】
車両には、前記各種センサ４１〜４７の信号に基づいて、エンジン１１等の各部を制御する電子制御装置５１が設けられている。電子制御装置５１はマイクロコンピュータを中心として構成されており、中央処理装置（ＣＰＵ）が、読出し専用メモリ（ＲＯＭ）に記憶されている制御プログラム、初期データ、制御マップ等に従って演算処理を行い、その演算結果に基づいて各種制御を実行する。ＣＰＵによる演算結果は、ランダムアクセスメモリ（ＲＡＭ）において一時的に記憶される。
【００３５】
電子制御装置５１による制御の１つに、吸・排気バルブ２５，２６の各バルブタイミング制御がある。例えば、吸気バルブ２５のバルブタイミング制御では、電子制御装置５１は、その時々のエンジン１１の運転状態に基づき、吸気バルブ２５のバルブタイミングについての制御目標として目標バルブタイミングを設定する。そして、クランク角センサ４１及び吸気側カム角センサ４２の各検出結果に基づき把握される吸気バルブ２５の実際のバルブタイミングが上記目標バルブタイミングとなるように、吸気側のバルブタイミング可変装置３７を制御する。この制御により、吸気バルブ２５がエンジン１１の運転状態に適したタイミングにて開閉される。なお、説明は省略するが、排気バルブ２６のバルブタイミング制御も、上記吸気バルブ２５のバルブタイミング制御と同様にして行われる。
【００３６】
また、電子制御装置５１は、各燃料噴射弁３２に対する通電を制御することで、同燃料噴射弁３２からの燃料噴射を制御する。この燃料噴射制御では、エンジン回転速度ＮＥ及びエンジン負荷といったエンジン１１の運転状況に基づき、混合気の空燃比を所定の値、例えば理論空燃比（ストイキ）とするための燃料噴射量を基本噴射量（基本噴射時間）として算出する。ここで、空燃比とは、混合気中の空気と燃料との重量比であり、理論空燃比とは、燃料を完全に酸化させるのに必要な酸素量を過不足なく含んだ混合気の空燃比値である。また、エンジン負荷は、例えばエンジン１１の吸入空気量、又はそれに関係するパラメータ（例えば、スロットル開度、アクセル踏込み量等）に基づき求められる。そして、上記基本噴射量に各種補正を加えて目標噴射量を算出する。この目標噴射量は、特許請求の範囲における「燃料噴射量」に相当する。各種補正の中には、エンジン１１の温度が低いときに燃料噴射量を増量補正するものがある。これは、エンジン１１の温度が低いときには、噴射後、吸気ポート２０や吸気バルブ２５の傘部等に付着した燃料が気化しにくく、燃焼室１４に供給される燃料量が少なくなるため、その減少分を増量補正によって補償するものである。
【００３７】
また、上記のようにして算出した目標噴射量とそのときのエンジン回転速度ＮＥとに基づき、燃料の目標噴射時期（噴射開始時期）及び目標噴射期間を算出する。本実施形態では、図６に示すように、排気行程の後半、例えば上死点ＴＤＣよりも数十°ＣＡ前を目標噴射時期（噴射開始時期）として算出する。また、この目標噴射時期から排気行程の終了直前、例えば上死点ＴＤＣよりも数°ＣＡ前までの期間を目標噴射期間として設定する。
【００３８】
さらに、通常のポート噴射では、吸気バルブ２５の開弁前に燃料噴射を終えるように目標噴射時期（噴射開始時期）が設定されるが、本実施形態では、同目標噴射時期（噴射開始時期）が吸気バルブ２５の開弁と同時又は略同時となるように設定される。これは次の理由による。エンジン１１の温度が低いときに吸気バルブ２５の開弁前に燃料を噴射し終えると、吸気ポート２０の温度が低いことから、燃料の霧化が充分に行われない。これに対し、吸気バルブ２５が開き始めるのと略同時に燃料を噴射させると、燃料は気筒１２内に流入する。気筒１２内は、燃焼により吸気ポート２０よりも温度が高くなっている。そのため、気筒１２内では燃料が霧化しやすく、より少ない燃料でも混合気を燃焼させることができる。結果として、吸気ポート２０に付着する燃料Ｆの量を少なくすることができる。
【００３９】
そして、算出した目標噴射時期になると燃料噴射弁３２に対する通電を開始し、上記目標噴射期間が経過するまで通電を継続する。目標噴射時期から目標噴射期間が経過した時点で上記燃料噴射弁３２に対する通電を停止する。なお、電子制御装置５１による上記燃料噴射制御に係る処理は、特許請求の範囲における「燃料噴射手段」に該当する。
【００４０】
ここで、上述したバルブタイミング制御によって、上死点ＴＤＣよりも前（排気行程）で吸気バルブ２５の開弁を開始させ、同排気行程で燃料噴射を行うと、吸気バルブ２５の開き始めに、図３に示すように、筒内圧の高い気筒１２から既燃ガスＧが吸気ポート２０側へ逆流し、燃料噴射弁３２から噴射された燃料が吸気上流側へ吹き戻される。この吹き戻しにより、吸気ポート２０に付着する燃料Ｆの面積及び量が、既燃ガスＧの逆流のない場合よりも多くなる。これに伴い、燃焼室１４内に供給される燃料量が、既燃ガスＧの逆流のない場合よりも一時的に少なくなって、空燃比が一時的にリーンとなるおそれがある。
【００４１】
そこで、本実施形態では、既燃ガスＧの逆流による付着燃料量の増加に起因して燃焼室１４に供給される燃料量が減少するのを補償するための補正項を算出し、この補正項によって燃料噴射量（目標噴射量）を増量補正するようにしている。この増量補正は、上記目標噴射量の算出に際し、基本噴射量に対し加えられる各種補正の１つとして設定されている。ここでは、上記増量補正は、前述したエンジン１１の低温時の増量補正とは別に行われるものとして説明を進める。また、上記前者の増量補正（燃料の吹き戻しに起因する燃焼室１４への燃料供給量の減少を補償するための補正）に際しては、補正項として補正係数ｋが算出される。この補正係数ｋは、目標噴射量の算出に際し、上述した基本噴射量に乗算される。そして、補正係数ｋが「１．０」である場合には、目標噴射量は増量補正されない。また、補正係数ｋが「１．０」よりも大きい場合には、目標噴射量が増量補正される。補正係数ｋが大きくなるに従い、目標噴射量に対する増量補正の度合いも大きくなる。
【００４２】
なお、電子制御装置５１による上記補正係数ｋを用いた目標噴射量の増量補正に係る処理は、特許請求の範囲における「補正手段」に該当する。
図４のフローチャートは、この補正係数ｋを算出するためのルーチンを示している。この補正係数算出ルーチンは、所定のタイミング、例えば一定時間毎、一定クランク角毎等に繰り返し実行される。補正係数算出ルーチンでは、次の点を考慮して補正係数ｋを算出するようにしている。
【００４３】
既燃ガスＧの逆流によって燃料が吹き戻されて吸気ポート２０に付着する上記現象は、燃料噴射弁３２から噴射された燃料が吸気ポート２０内で浮遊（飛行）しているときに、吸気バルブ２５が開弁されて燃焼室１４内の既燃ガスＧが吸気ポート２０へ逆流する場合に起り得る。表現を変えると、上記現象は、図６に示すように、燃料噴射弁３２から噴射された燃料が吸気ポート２０内を浮遊する期間（以下「浮遊期間Ｔ２」という）と、吸気バルブ２５の開弁に伴い燃焼室１４内の既燃ガスＧが吸気ポート２０へ逆流する期間（以下「逆流期間Ｔ１」という）とが重なるときに起り得る。そして、吸気ポート２０に付着する燃料Ｆの量は、浮遊期間Ｔ２と逆流期間Ｔ１とが重なる期間（以下「重なり期間ＴOL」という）が長いときには短いときよりも多くなる。そこで、重なり期間ＴOLを求め、その値に基づいて補正係数ｋを算出するようにしている。
【００４４】
図４に示すように電子制御装置５１は、まずステップ１１０において、吸気ポート２０における流体の流れ方向が、燃焼室１４から吸気上流側へ向かう方向（以下「逆流方向」という）であるか、吸気ポート２０から燃焼室１４に向かう方向（以下「順流方向」という）であるかを判定する。ここでの流体は、順流方向である場合には空気及び燃料の混合気を指し、逆流方向である場合には既燃ガスＧを指す。ここで、既燃ガスＧの逆流期間Ｔ１について、その開始時期と終了時期とが判れば、上記流体の流れ方向を把握することができる。逆流期間Ｔ１であれば、流体の流れ方向は逆流方向となるし、逆流期間Ｔ１から外れていれば流体の流れ方向は順流方向となる。
【００４５】
既燃ガスＧの逆流は、排気行程においてピストン１３が上昇していて筒内圧が高くなっていて、吸気バルブ２５が開いているときに起こり得る。従って、逆流期間Ｔ１の開始時期は、排気行程の途中で吸気バルブ２５が開き始めたときである。また、逆流期間Ｔ１の終了時期はピストン１３が最も高い位置（上死点ＴＤＣ）まで上昇したときである。
【００４６】
これらのことから、ステップ１１０では、吸気バルブ２５の開弁時期及び上死点ＴＤＣから、逆流期間Ｔ１の開始時期及び終了時期を推定する。また、現在のタイミング（クランク角）が、吸気バルブ２５の開弁時期（逆流期間Ｔ１の開始時期）以後であり、かつ上死点ＴＤＣ（逆流期間Ｔ１の終了時期）以前であるかどうか、つまり逆流期間Ｔ１にあるかどうかを判定する。
【００４７】
上記ステップ１１０の判定条件が満たされていない（流体の流れ方向が順流方向である）と、逆流によって吹き戻されて吸気ポート２０に付着する燃料Ｆの量が増加することがなく、目標噴射量を増量補正する必要がないことから、ステップ１２０へ移行する。ステップ１２０では補正係数ｋを「１．０」に設定し、その後に補正係数算出ルーチンを終了する。上述したように、この補正係数ｋは目標噴射量の算出に際し基本噴射量に乗算されるが、「１．０」であるため、目標噴射量は増量補正されない。
【００４８】
これに対し、上記ステップ１１０の判定条件が満たされている（流体の流れ方向が逆流方向である）と、逆流する既燃ガスＧによって燃料が吹き戻されて吸気ポート２０に付着する可能性があることから、ステップ１３０へ移行する。
【００４９】
ステップ１３０では、既燃ガスＧの上記逆流期間Ｔ１と、燃料が吸気ポート２０を浮遊する期間（浮遊期間Ｔ２）とが重複しているかどうかを判定する。上記浮遊期間Ｔ２に既燃ガスＧが逆流すれば、すなわち、逆流期間Ｔ１と浮遊期間Ｔ２とが重なる期間（重なり期間ＴOL）であれば、同燃料が吹き戻されて吸気ポート２０に付着する可能性が高いからである。
【００５０】
既燃ガスＧの逆流期間Ｔ１については、先述したとおりである。また、上述したように、燃料噴射弁３２からはある程度の期間（目標噴射期間）をもって燃料が噴射される。噴射された燃料が吸気ポート２０を浮遊する最も早いタイミングは、燃料が最初に燃料噴射弁３２から噴射されるタイミング、すなわち噴射開始時期である。また、噴射された燃料が吸気ポート２０を浮遊する最も遅いタイミングは、燃料噴射弁３２が燃料噴射を終了する直前に噴射された燃料が吸気ポート２０の下流端２０Ａに到達するタイミングである。なお、吸気ポート２０の下流端２０Ａから、開弁時の吸気バルブ２５の傘部までの距離は、燃料噴射弁３２の噴孔から吸気ポート２０の下流端２０Ａまでの距離に比べると小さい。そのため、燃料噴射弁３２が燃料噴射を終了する直前に噴射された燃料が吸気バルブ２５の傘部に到達するタイミングを、燃料が吸気ポート２０を浮遊する最も遅いタイミングとしても差し支えない。
【００５１】
そして、上記の観点から、閉じていた燃料噴射弁３２が開いて燃料を噴射し始めるタイミングから、噴射終了直前に噴射された燃料（最後に噴射された燃料）が吸気ポート２０の下流端２０Ａに到達するタイミングまでの期間を、燃料が吸気ポート２０で浮遊する上記浮遊期間Ｔ２とする。この浮遊期間Ｔ２の算出に際しては、燃料噴射弁３２に供給される燃料の圧力、吸気ポート２０内の圧力及びエンジン回転速度ＮＥを考慮することが望ましい。
【００５２】
ここで、燃料の圧力を考慮する理由は、１つには、燃料の圧力に応じて燃料噴射弁３２からの燃料の噴射速度（噴射の勢い）が異なり、燃料が吸気ポート２０の下流端２０Ａに到達するまでの時間（到達時間）が異なるからである。具体的には、燃料の圧力が高くなるに従い噴射速度が高くなり、到達時間が短くなる。そのほかの理由として、燃料の圧力に応じて燃料の噴射時間が異なり、最後に噴射された燃料が吸気ポート２０の下流端２０Ａに到達するタイミングが異なることも挙げられる。具体的には、燃料の圧力が高くなるに従い、燃料の噴射時間が短くなり、最後に噴射された燃料が早く吸気ポート２０の下流端２０Ａに到達するようになる。そのため、燃料の圧力が高くなるに従い、浮遊期間Ｔ２として短い値を算出することが望ましい。
【００５３】
また、吸気ポート２０内の圧力を考慮する理由は、これが、燃料噴射弁３２からの燃料の噴射速度に影響を及ぼすからである。より詳しくは、燃料の噴射の圧力と、吸気ポート２０内の圧力との差圧に応じて燃料の噴射速度（噴射の勢い）が異なり、上記到達時間が異なるからである。具体的には、吸気ポート２０内の圧力が高くなるに従い燃料の噴射の速度が低く（噴射の勢いが弱く）なり、噴射された燃料が遅く吸気ポート２０の下流端２０Ａに到達する。そのため、吸気ポート２０の圧力が高くなるに従い、浮遊期間Ｔ２として長い値を算出することが望ましい。
【００５４】
なお、吸気ポート２０内の圧力と吸入空気量との間には相関関係がある。例えば、吸気ポート２０内の圧力が低ければ吸入空気量は少なく、吸気ポート２０内の圧力が大気圧に近ければ吸入空気量が多くなる。そのため、浮遊期間Ｔ２の算出に際し、吸気ポート２０内の圧力に代えて吸入空気量を考慮してもよい。
【００５５】
さらに、エンジン回転速度ＮＥを考慮する理由は、エンジン回転速度ＮＥに応じて燃料の噴射時間が異なり、上記と同様、最後に噴射された燃料が吸気ポート２０の下流端２０Ａに到達するタイミングが異なって、浮遊期間Ｔ２が異なってくるからである。
【００５６】
そして、上記ステップ１３０の判定条件が満たされていないと、既燃ガスＧが逆流する期間であるが、浮遊期間Ｔ２と重なっておらず、逆流によって燃料が吹き戻されて吸気ポート２０に付着する現象が起こらないと考えられる。このことから、上述したステップ１２０へ移行する。ステップ１２０では補正係数ｋを「１．０」に設定し、その後に補正係数算出ルーチンを終了する。この場合には、目標噴射量は増量補正されない。これに対し、上記ステップ１３０の判定条件が満たされていると、逆流期間Ｔ１と浮遊期間Ｔ２とが重なっており、逆流により燃料が吸気ポート２０に付着すると考えられることから、次のステップ１４０へ移行する。
【００５７】
ステップ１４０では、上記既燃ガスＧの逆流期間Ｔ１と、燃料の浮遊期間Ｔ２との重なり期間ＴOLを算出し、その重なり期間ＴOLに基づき補正係数ｋを算出する。この補正係数ｋは、上述したように、目標噴射量の算出に際し基本噴射量に乗算されるものであり、重なり期間ＴOLにおいて、逆流により吹き戻されて吸気ポート２０に付着する燃料Ｆの量に対応している。ステップ１４０では、補正係数ｋとして「１．０」よりも大きな値を算出する。こうした「１．０」よりも大きな補正係数ｋが乗算されることで、目標噴射量が増量補正される。さらに、ステップ１４０では、上記重なり期間ＴOLが長いときには短いときよりも、補正係数ｋとして大きな値を算出する。これは、重なり期間ＴOLが長くなるに従い、燃料噴射弁３２から噴射された燃料のうち逆流の影響を受けて吸気ポート２０に付着するものが多くなるからである。なお、上記補正係数ｋの算出に際しては、例えば、重なり期間ＴOLと補正係数ｋとの関係を予め規定した制御マップや、算出式を用いてもよい。
【００５８】
次に、ステップ１５０において、吸気ポート２０での既燃ガスＧの逆流強さに基づいて、上記ステップ１４０での補正係数ｋを変更する。これは、上記重なり期間ＴOLが同じであったとしても、逆流によって吹き戻されて吸気ポート２０に付着する燃料Ｆの量は、逆流強さが強いときには多く、弱いときには少ないと考えられるからである。ここで、逆流強さとエンジン負荷との間には相関関係が見られる。逆流強さは、エンジン負荷が大きくなるに従い低下する傾向にある。これは、エンジン負荷が大きくなるに従い、筒内圧と吸気ポート２０内の圧力との差圧が小さくなるからである。また、逆流強さとエンジン回転速度ＮＥとの間にも相関関係が見られる。逆流強さは、エンジン回転速度ＮＥが高くなるに従い低下する傾向にある。これは、逆流強さを、既燃ガスＧが逆流する量で表すことができるものとすると、エンジン回転速度ＮＥの上昇に伴い逆流時間が短くなり、既燃ガスＧの逆流する量が少なくなるからである。
【００５９】
そこで、本実施形態では、上述した傾向を考慮して、エンジン負荷及びエンジン回転速度ＮＥに対する逆流強さを規定した制御マップが予め作成されている。図５は、この制御マップのマップ構造を示している。この制御マップでは、エンジン回転速度ＮＥ一定のもと、エンジン負荷が小さいときには逆流強さが強く、エンジン負荷が大きくなるに従い逆流強さが弱くなる設定がなされている。また、同制御マップでは、エンジン負荷一定のもと、エンジン回転速度ＮＥが低いときには逆流強さが強く、エンジン回転速度ＮＥが高くなるに従い逆流強さが弱くなる設定がなされている。そして、ステップ１５０では、そのときのエンジン負荷及びエンジン回転速度ＮＥに対応する逆流強さを上記制御マップから割り出す。
【００６０】
さらに、上記逆流強さに応じた補正係数ｋの変更に際しては、この補正係数ｋとは別に、例えば、逆流強さに対応する係数αを求め、これを補正係数ｋに乗算又は加算し、乗算結果を最終的な補正係数ｋとしてもよい。この場合、係数αとして、「１．０」よりも大きく、かつ逆流強さが強くなるに従い大きな値を設定する。こうした係数αの設定に際しては、逆流強さと係数αとの関係を予め規定した制御マップや、算出式を用いてもよい。
【００６１】
そして、上記ステップ１５０の処理を経た後に、この補正係数算出ルーチンを終了する。
上記の補正係数算出ルーチンの各処理が行われると、浮遊期間Ｔ２と逆流期間Ｔ１との重なり期間ＴOLにおいてのみ、補正係数ｋとして「１．０」より大きな値が算出され、それ以外の期間では補正係数ｋとして「１．０」が算出される。さらに、重なり期間ＴOLが長いときには短いときよりも補正係数ｋとして大きな値が算出される。そして、この補正係数ｋが用いられることにより、重なり期間ＴOLでは目標噴射量が増量補正され、それ以外の期間では目標噴射量が増量補正されない。さらに、重なり期間ＴOLが長いときには短いときよりも目標噴射量が多く増量補正される。
【００６２】
このように本実施形態では、単にバルブオーバラップ量や燃料噴射時期に基づいて燃料噴射量を増量補正する特許文献１とは異なり、逆流の影響を受けない期間を含んだ形で増量補正が行われたり、逆流の影響を受けている期間を漏らした形で増量補正が行われたりすることが少なくなる。実際に燃料付着現象が起こる期間が過不足なく増量補正の対象期間とされ、この重なり期間ＴOLに応じた補正係数ｋが基本噴射量に乗算されることで、同重なり期間ＴOLに基づく目標噴射量の増量補正が行われる。
【００６３】
以上詳述した本実施形態によれば、次の効果が得られる。
（１）浮遊期間Ｔ２と逆流期間Ｔ１とが重なる重なり期間ＴOLに応じた補正係数ｋを算出し、この補正係数ｋを基本噴射量に乗算して目標噴射量を増量補正することで、重なり期間ＴOLに基づく燃料噴射量の増量補正を行っている。そのため、単にバルブオーバラップ量や燃料噴射時期に基づいて燃料噴射量を増量補正する特許文献１に比べ、燃料噴射量（目標噴射量）の増量補正の精度を高め、燃焼室１４への燃料供給量の減少分を確実に補償することができる。
【００６４】
その結果、燃焼室１４内に供給される燃料量が、既燃ガスＧの逆流のない場合よりも一時的に少なくなって空燃比が一時的にリーンとなる現象を起こりにくくすることができる。これに伴い、加速時に機関出力が一瞬遅れる現象（ヘジテーション）が起こったり、過渡運転時に空燃比が荒れてエミッションが悪化したりするのを抑制することができる。
【００６５】
（２）浮遊期間Ｔ２と逆流期間Ｔ１との重なり期間ＴOLが長くなるに従い、燃料噴射弁３２から噴射された燃料のうち逆流の影響を受けて吸気ポート２０に付着するものが多くなる。従って、本実施形態によるように、重なり期間ＴOLが長いときには短いときよりも補正係数ｋとして大きな値を設定することで、上記（１）における増量補正の精度向上を実現することができる。
【００６６】
（３）燃焼室１４内の既燃ガスＧが吸気ポート２０へ逆流する現象は、排気行程において筒内圧が高くなっていることと、吸気バルブ２５が開弁することの両方の条件が満たされた期間に起ると考えられる。従って、本実施形態によるように、吸気バルブ２５の開弁開始から排気行程終了（上死点ＴＤＣ）までの期間を逆流期間Ｔ１とすることで、燃料を吹き戻して吸気ポート２０に付着させる対象となる既燃ガスＧの逆流期間Ｔ１を正確に把握することができる。
【００６７】
（４）燃料噴射弁３２から噴射された燃料が吸気ポート２０を浮遊する現象は、同燃料噴射弁３２から最初の燃料が噴射され始めてから、最後に噴射された燃料が吸気ポート２０の下流端２０Ａに到達するまでの期間に起こると考えられる。従って、本実施形態によるように、燃料噴射弁３２による燃料の噴射開始から、噴射終了直前に噴射された燃料が吸気ポート２０の下流端２０Ａに到達するまでの期間を浮遊期間Ｔ２とすることにより、吸気ポート２０への付着対象となる燃料が同吸気ポート２０内を浮遊する浮遊期間Ｔ２を正確に把握することができる。
【００６８】
（５）浮遊期間Ｔ２の算出に際し、燃料噴射弁３２に供給される燃料の圧力、吸気ポート２０内の圧力、エンジン回転速度ＮＥを考慮している。これらの要素は、いずれも浮遊期間Ｔ２に影響を及ぼすものである。そのため、こうした考慮をしない場合に比べ、より高い精度で浮遊期間Ｔ２を把握することができる。
【００６９】
（６）吸気ポート２０における流体の流れ方向が逆流方向であるかどうかを判定し（ステップ１１０）、満たされていない場合には補正係数ｋを「１．０」に設定する（ステップ１２０）ことで、目標噴射量を増量補正しないようにしている。また、逆流期間Ｔ１と浮遊期間Ｔ２との重なり期間ＴOLであるかどうかを判定し（ステップ１３０）、満たされない場合には補正係数ｋを「１．０」に設定する（ステップ１２０）ことで、目標噴射量を増量補正しないようにしている。そのため、逆流期間Ｔ１と浮遊期間Ｔ２との重なり期間ＴOLとは異なる期間に目標噴射量が不要に増量補正されるのを抑制することができる。
【００７０】
（７）既燃ガスＧの逆流によって吹き戻されて吸気ポート２０に付着する燃料Ｆの量は、逆流が強いときには多く、弱いときには少ないと考えられる。従って、本実施形態によるように、吸気ポート２０での既燃ガスＧの逆流強さをエンジン１１の運転状態（エンジン負荷、エンジン回転速度ＮＥ）に基づいて推定し、その推定した逆流強さに応じて補正係数ｋを変更することで、燃料噴射量（目標噴射量）の増量補正の精度をさらに高めることができる。
【００７１】
なお、本発明は次に示す別の実施形態に具体化することができる。
・図４のステップ１５０において、逆流強さを、エンジン負荷及びエンジン回転速度ＮＥの一方のみに基づいて推定してもよい。
【００７２】
・図４のステップ１５０の処理を省略して、ステップ１４０で算出した補正係数ｋを燃料噴射量の補正に用いてもよい。
・目標噴射量の算出に際し、基本噴射量に対し加えられる各種補正の１つとしてエンジン１１の低温時の増量補正があることについては前述した。この増量補正の一部として、本実施形態の増量補正（燃料の吹き戻しに起因する燃焼室１４への燃料供給量の減少を補償するための補正）を行うようにしてもよい。
【００７３】
・吸気ポート２０に流速センサを設け、吸気ポートを流れる気流の速度を、その方向とともに検出するようにしてもよい。この場合、流速センサの検出結果から、気流の流れ方向が逆流方向であるかどうかを推定できるため、同検出結果に基づいて、図４のステップ１１０の判定処理を行ってもよい。また、上記の推定を、流速センサを用いずに、間接的に行ってもよい。例えば、直接測定した、もしくは吸入空気量等から推定した筒内圧と、同じく直接測定した、もしくは吸入空気量等から推定した吸気ポート２０の内圧と、クランク角から求めた吸気バルブの開口面積とから、気流の流れ方向が逆流方向であるかどうかを推定することも可能である。
【００７４】
・本発明は、吸気側及び排気側のバルブタイミング可変装置３７，３８の少なくとも一方が設けられていないエンジン１１にも適用可能である。こうしたタイプのエンジン１１であっても、逆流期間Ｔ１と浮遊期間Ｔ２との重なり期間ＴOLが存在して、既燃ガスＧの逆流による吸気ポート２０への燃料付着が起り得るからである。
【図面の簡単な説明】
【００７５】
【図１】本発明を具体化した一実施形態についてその構成を示す略図。
【図２】吸・排気バルブの各バルブタイミングを示す特性図。
【図３】燃料噴射弁から噴射された燃料が既燃ガスの逆流により吹き戻されて吸気ポートに付着する様子を概念的に示す説明図。
【図４】電子制御装置によって実行される補正係数算出ルーチンを示すフローチャート。
【図５】逆流強さを決定する際に用いられる制御マップのマップ構造を示す略図。
【図６】逆流期間Ｔ１、浮遊期間Ｔ２、重なり期間ＴOL等の関係を説明するためのタイミングチャート。
【符号の説明】
【００７６】
１１…エンジン（内燃機関）、１４…燃焼室、２０…吸気ポート、２０Ａ…下流端、２５…吸気バルブ、３２…燃料噴射弁、５１…電子制御装置（燃料噴射手段、補正手段）、Ｆ…燃料、Ｇ…既燃ガス、Ｔ１…逆流期間、Ｔ２…浮遊期間、ＴOL…重なり期間。
【図１】
2010025083.tif 000003
【図２】
2010025083.tif 000004
【図３】
2010025083.tif 000005
【図４】
2010025083.tif 000006
【図５】
2010025083.tif 000007
【図６】
2010025083.tif 000008